(57)【特許請求の範囲】
【請求項１】
スピーカとマイクが対向して配置され前記スピーカからの音声と周囲の騒音を前記マイクにより集音し、フィードバック制御により周囲の騒音をキャンセルする騒音キャンセルヘッドフォンにおいて、
前記スピーカを移動することにより前記マイクの前方を外部に開放できるようにしたスピーカ可動手段と、
騒音キャンセルヘッドフォンモード又はバイノーラル録音モードに切り替える信号を出力するモード切替手段と、
前記モード切替手段がバイノーラル録音モードに切り替える信号を出力したとき前記スピーカの音声出力を停止させる音声出力制御手段と、
前記モード切替手段がバイノーラル録音モードに切り替える信号を出力したとき前記マイクで集音された音声信号を圧縮、コード化して記憶手段に記憶させる音声データ処理手段
を備えたことを特徴とするバイノーラル録音兼用騒音キャンセルヘッドフォン。
【請求項２】
前記スピーカ可動手段は、騒音キャンセルヘッドフォンモードに切り替えるとき前記スピーカを移動することにより前記スピーカの前方と前記マイクの前方を対向して配置でき、
前記音声出力制御手段は、前記モード切替手段が騒音キャンセルヘッドフォンモードに切り替える信号を出力したとき前記記憶手段に記憶された音楽データを伸長、デコードして前記スピーカから音声として出力させることを特徴とする請求項１に記載のバイノーラル録音兼用騒音キャンセルヘッドフォン。
【請求項３】
前記モード切替手段は、マニュアルにより騒音キャンセルヘッドフォンモード側又はバイノーラル録音モード側に切り替えるスイッチであることを特徴とする請求項１又は請求項２のいずれか一項に記載のバイノーラル録音兼用騒音キャンセルヘッドフォン。
【請求項４】
前記モード切替手段は、前記スピーカを移動し前記スピーカの前方と前記マイクの前方を対向して配置したとき前記スピーカにより押下され騒音キャンセルヘッドフォンモードに切り替える信号を出力し、前記スピーカを移動し前記マイクの前方を外部に開放したときバイノーラル録音モードに切り替える信号を出力することを特徴とする請求項１又は請求項２のいずれか一項に記載のバイノーラル録音兼用騒音キャンセルヘッドフォン。
【請求項５】
音声出力制御手段は、前記モード切替手段がバイノーラル録音モードに切り替える信号を出力したとき少なくともヘッドフォンアンプへのクロック信号を停止し前記スピーカの音声出力を停止させることを特徴とする請求項１乃至請求項４のいずれか一項に記載のバイノーラル録音兼用騒音キャンセルヘッドフォン。
【請求項６】
前記モード切替手段が騒音キャンセルヘッドフォンモードに切り替える信号を出力したとき前記マイクからの音声信号が音声データ処理手段に入力されないように遮断することを特徴とする請求項１乃至請求項５のいずれか一項に記載のバイノーラル録音兼用騒音キャンセルヘッドフォン。
【請求項７】
前記スピーカ可動手段は、前記スピーカを回転可能に支持するヒンジを備えたことを特徴とする請求項１乃至請求項６のいずれか一項に記載のバイノーラル録音兼用騒音キャンセルヘッドフォン。
【請求項８】
前記スピーカ可動手段は、前記スピーカをスライドすることにより前記マイクの前方を外部に開放できるようにしたことを特徴とする請求項１乃至請求項６のいずれか一項に記載のバイノーラル録音兼用騒音キャンセルヘッドフォン。
【請求項９】
スピーカとマイクが対向して配置され前記スピーカからの音声と周囲の騒音を前記マイクにより集音しフィードバック制御により周囲の騒音をキャンセルする騒音キャンセルヘッドフォンの、前記マイクを使って録音するバイノーラル録音方法において、
バイノーラル録音モードに切り替えるときは、
前記スピーカを移動することにより前記マイクの前方を外部に開放し、
前記スピーカの音声出力を停止させ、
前記マイクで集音された音声信号を圧縮、コード化して記憶手段に記憶させることを特徴とするバイノーラル録音方法。
【請求項１０】
騒音キャンセルヘッドフォンモードに切り替えるときは、
前記スピーカを移動することにより前記スピーカの前方と前記マイクの前方を対向して配置し、
前記記憶手段に記憶された音楽データを伸長、デコードして前記スピーカから音声として出力させることを特徴とする請求項９に記載のバイノーラル録音方法。
【請求項１１】
マニュアルによりスイッチを操作し騒音キャンセルヘッドフォンモード側又はバイノーラル録音モード側に切り替えることを特徴とする請求項９又は請求項１０のいずれか一項に記載のバイノーラル録音方法。
【請求項１２】
前記スピーカを移動し前記スピーカの前方と前記マイクの前方を対向して配置したとき騒音キャンセルヘッドフォンモードに切り替えられ、
前記スピーカを移動し前記マイクの前方を外部に開放したときバイノーラル録音モードに切り替えられることを特徴とする請求項９又は請求項１０のいずれか一項に記載のバイノーラル録音方法。
【請求項１３】
前記モード切替手段がバイノーラル録音モードに切り替えられたとき少なくともヘッドフォンアンプへのクロック信号を停止し前記スピーカの音声出力を停止させることを特徴とする請求項９乃至請求項１２のいずれか一項に記載のバイノーラル録音方法。
【請求項１４】
前記モード切替手段が騒音キャンセルヘッドフォンモードに切り替えられたとき前記マイクからの音声信号が音声データ処理手段に入力されないように遮断されることを特徴とする請求項９乃至請求項１３のいずれか一項に記載のバイノーラル録音方法。
【請求項１５】
前記スピーカをヒンジを回転軸として回転させることを特徴とする請求項９乃至請求項１４のいずれか一項に記載のバイノーラル録音方法。
【請求項１６】
前記スピーカをスライドして前記マイクの前方を外部に開放することを特徴とする請求項９乃至請求項１４のいずれか一項に記載のバイノーラル録音方法。
【発明の詳細な説明】
【技術分野】
【０００１】
本発明は、バイノーラル録音兼用騒音キャンセルヘッドフォン、及びバイノーラル録音方法に係り、特に、騒音キャンセルヘッドフォンのマイクを使用してバイノーラル録音をするバイノーラル録音兼用騒音キャンセルヘッドフォン、及びバイノーラル録音方法に関する。
【背景技術】
【０００２】
近年、周囲の騒音をキャンセルして音楽などを聴取することができる騒音キャンセルヘッドフォンが各社より製品化されている。これらの騒音キャンセルヘッドフォンは、周囲の騒音をマイクから入力して逆位相で打ち消し、低騒音化を実現するようになっている。騒音を逆位相で打ち消す方法として、フィードフォワード制御閉ループによるものと、フィードバック制御によるものがある。
【０００３】
フィードバック制御騒音キャンセルヘッドフォンの従来技術として、例えば特開平６−３４３１９５号公報（特許文献１）を挙げることができる。フィードバック制御騒音キャンセルヘッドフォンには、マイクがスピーカと外耳道との間に上記スピーカに対向して配置されており、上記スピーカで発した音と周囲の騒音をこのマイクで集音して帰還し、フィードバック制御により騒音をキャンセルするようになっている。
【０００４】
また、音楽などを立体感のある音ととして録音する方法として、実際の人間あるいは人工ヘッドの耳にマイクを装着して録音するバイノーラル録音が知られている。バイノーラル録音された音をヘッドフォンで再生すると立体感のある音が再生される。バイノーラル録音に関する従来技術として特開２００５−３１８０６１号公報（特許文献２）を挙げることができる。またバイノーラル録音ができるスピーカ兼用マイクが実開昭６０−４７３８９号公報（特許文献３）で提案されている。
【特許文献１】特開平６−３４３１９５号公報
【特許文献２】特開２００５−３１８０６１号公報
【特許文献３】実開昭６０−４７３８９号公報
【発明の開示】
【発明が解決しようとする課題】
【０００５】
特許文献２に記載されたようなバイノーラル録音／再生装置では、録音時に使用されるマイクは、再生時に使用されるヘッドフォンとは別のものが使用される。ところで、フィードバック制御騒音キャンセルヘッドフォンにはマイクがヘッドフォンに内蔵されている。このヘッドフォンに内蔵されたマイクを録音時にも使うようにすれば、別にマイクを用意しなくてもバイノーラル録音を行うことができる。また、再生時もフィードバック制御騒音キャンセルヘッドフォンの騒音キャンセル用マイクとして使用でき、非常に便利である。
【０００６】
しかしながら、フィードバック制御騒音キャンセルヘッドフォンに使用されているマイクはスピーカに対向するように配置されているので、スピーカが障壁となって良好な録音ができない。また、特許文献３で提案されているようなスピーカ兼用マイクではマイクとスピーカを同時に使用するフィードバック制御騒音キャンセルヘッドフォンには使用することができない。
【０００７】
本発明は上記問題点に鑑み、フィードバック制御騒音キャンセルヘッドフォンで使用されているマイクを使用し、これ以外に別のマイクを用意しなくても良好なバイノーラル録音を行うことができるようにすることを目的とする。
【課題を解決するための手段】
【０００８】
本発明のバイノーラル録音兼用騒音キャンセルヘッドフォンは、スピーカとマイクが対向して配置され前記スピーカからの音声と周囲の騒音を前記マイクにより集音し、フィードバック制御により周囲の騒音をキャンセルする騒音キャンセルヘッドフォンにおいて、前記スピーカを移動することにより前記マイクの前方を外部に開放できるようにしたスピーカ可動手段と、騒音キャンセルヘッドフォンモード又はバイノーラル録音モードに切り替える信号を出力するモード切替手段と、前記モード切替手段がバイノーラル録音モードに切り替える信号を出力したとき前記スピーカの音声出力を停止させる音声出力制御手段と、前記モード切替手段がバイノーラル録音モードに切り替える信号を出力したとき前記マイクで集音された音声信号を圧縮、コード化して記憶手段に記憶させる音声データ処理手段を備えたことを特徴とする。
また、本発明のバイノーラル録音兼用騒音キャンセルヘッドフォンは、前記スピーカ可動手段は、騒音キャンセルヘッドフォンモードに切り替えるとき前記スピーカを移動することにより前記スピーカの前方と前記マイクの前方を対向して配置でき、前記音声出力制御手段は、前記モード切替手段が騒音キャンセルヘッドフォンモードに切り替える信号を出力したとき前記記憶手段に記憶された音楽データを伸長、デコードして前記スピーカから音声として出力させることを特徴とする。
また、本発明のバイノーラル録音兼用騒音キャンセルヘッドフォンは、前記モード切替手段は、マニュアルにより騒音キャンセルヘッドフォンモード側又はバイノーラル録音モード側に切り替えるスイッチであることを特徴とする。
また、本発明のバイノーラル録音兼用騒音キャンセルヘッドフォンは、前記モード切替手段は、前記スピーカを移動し前記スピーカの前方と前記マイクの前方を対向して配置したとき前記スピーカにより押下され騒音キャンセルヘッドフォンモードに切り替える信号を出力し、前記スピーカを移動し前記マイクの前方を外部に開放したときバイノーラル録音モードに切り替える信号を出力することを特徴とする。
また、本発明のバイノーラル録音兼用騒音キャンセルヘッドフォンは、音声出力制御手段は、前記モード切替手段がバイノーラル録音モードに切り替える信号を出力したとき少なくともヘッドフォンアンプへのクロック信号を停止し前記スピーカの音声出力を停止させることを特徴とする。
また、本発明のバイノーラル録音兼用騒音キャンセルヘッドフォンは、前記モード切替手段が騒音キャンセルヘッドフォンモードに切り替える信号を出力したとき前記マイクからの音声信号が音声データ処理手段に入力されないように遮断することを特徴とする。
また、本発明のバイノーラル録音兼用騒音キャンセルヘッドフォンは、前記スピーカ可動手段は、前記スピーカを回転可能に支持するヒンジを備えたことを特徴とする。
また、本発明のバイノーラル録音兼用騒音キャンセルヘッドフォンは、前記スピーカ可動手段は、前記スピーカをスライドすることにより前記マイクの前方を外部に開放できるようにしたことを特徴とする。
また、本発明のバイノーラル録音方法は、スピーカとマイクが対向して配置され前記スピーカからの音声と周囲の騒音を前記マイクにより集音しフィードバック制御により周囲の騒音をキャンセルする騒音キャンセルヘッドフォンの、前記マイクを使って録音するバイノーラル録音方法において、バイノーラル録音モードに切り替えるときは、前記スピーカを移動することにより前記マイクの前方を外部に開放し、前記スピーカの音声出力を停止させ、前記マイクで集音された音声信号を圧縮、コード化して記憶手段に記憶させることを特徴とする。
また、本発明のバイノーラル録音方法は、騒音キャンセルヘッドフォンモードに切り替えるときは、前記スピーカを移動することにより前記スピーカの前方と前記マイクの前方を対向して配置し、前記記憶手段に記憶された音楽データを伸長、デコードして前記スピーカから音声として出力させることを特徴とする。
また、本発明のバイノーラル録音方法は、マニュアルによりスイッチを操作し騒音キャンセルヘッドフォンモード側又はバイノーラル録音モード側に切り替えることを特徴とする。
また、本発明のバイノーラル録音方法は、前記スピーカを移動し前記スピーカの前方と前記マイクの前方を対向して配置したとき騒音キャンセルヘッドフォンモードに切り替えられ、前記スピーカを移動し前記マイクの前方を外部に開放したときバイノーラル録音モードに切り替えられることを特徴とする。
また、本発明のバイノーラル録音方法は、前記モード切替手段がバイノーラル録音モードに切り替えられたとき少なくともヘッドフォンアンプへのクロック信号を停止し前記スピーカの音声出力を停止させることを特徴とする。
また、本発明のバイノーラル録音方法は、前記モード切替手段が騒音キャンセルヘッドフォンモードに切り替えられたとき前記マイクからの音声信号が音声データ処理手段に入力されないように遮断されることを特徴とする。
また、本発明のバイノーラル録音方法は、前記スピーカをヒンジを回転軸として回転させることを特徴とする。
また、本発明のバイノーラル録音方法は、前記スピーカをスライドして前記マイクの前方を外部に開放することを特徴とする。
【発明の効果】
【０００９】
本発明によれば、バイノーラル録音時はマイクの前方からスピーカを移動させ、マイクの前方を外部に開放することにより、ヘッドフォンを耳に付けたままマイクで外部の集音ができ、フィードバック制御騒音キャンセルヘッドフォンで使用されているマイク以外に別のマイクを用意しなくても良好なバイノーラル録音を行うことができるという効果を奏する。
【発明を実施するための最良の形態】
【００１０】
以下、本発明を実施するための最良の形態を、図面を参照して具体的に説明する。
【００１１】
図１及び図２は本実施の形態によるバイノーラル録音兼用騒音キャンセルヘッドフォンの構成図である。ここで図１は騒音キャンセルヘッドフォンとして使用する場合、図２はバイノーラル録音装置として使用する場合のそれぞれの回路構成を示している。
【００１２】
図１に示した本実施の形態によるバイノーラル録音兼用騒音キャンセルヘッドフォンは、記憶手段１、ＤＳＰ（Digital Signal Processor）２、補正回路３、減算器４、ヘッドフォンアンプ５、スピーカ６、マイク７、ＡＤ変換器８、デジタルフィルタ９、信号遮断手段１０、クロック制御手段１１、切替スイッチ１２などから構成される。
【００１３】
まず、図１を参照して騒音キャンセルヘッドフォンとして使用する場合を説明する。
【００１４】
図１において、記憶手段１は音楽データなどが記録される内部メモリあるいは外部接続されるプレーヤを示している。内部メモリとしてはフラッシュメモリやＨＤＤ（ハードディスク）などが記憶媒体として使用できる。また、外部接続されるプレーヤとしては、シリコンプレーヤ、ＣＤプレーヤ、ＭＤプレーヤ、ＨＤＤを使用したプレーヤなどが考えられる。記憶手段１には音楽データがＭＰ３などの音楽データ圧縮方式で圧縮されて記憶されている。
【００１５】
ＤＳＰ２は音声データ処理回路を集積回路として構成したもので、記憶手段１の各種記憶媒体に記憶された音楽データを伸長、デコードして補正回路３に出力する。また、ＤＳＰ２は後述のように、切替スイッチ１２の切り替え状態が騒音キャンセルヘッドフォンモードになっているかバイノーラル録音モードになっているかにより、各制御ブロックの動作状態を制御する。ＤＳＰ２はマイコンを含んだ制御回路とすることができる。
【００１６】
補正回路３は音声出力の周波数特性を補正する。フィードバック制御騒音キャンセルヘッドフォンは騒音キャンセル制御をフィードマック制御により行っているので、このフィードマック制御による周波数特性を補正してフラットな周波数特性とするために補正回路３が設けられる。
【００１７】
減算器４は、補正回路３の出力からディジタルフィルタ９の値を減算してヘッドフォンアンプ５に出力する。
【００１８】
ヘッドフォンアンプ５は、減算器４から出力された値を増幅しスピーカ６に出力する。
【００１９】
スピーカ６とマイク７はヘッドフォンに内蔵され、マイク７はスピーカ６から出力される音声と、周囲の音声を集音してＡＤ変換器８に出力する。
【００２０】
ＡＤ変換器８はマイク７から入力したアナログ音声信号をデジタル音声信号に変換する。
【００２１】
デジタルフィルタ９はＡＤ変換器８からのデジタル信号をフィルタして減算器４にフィードバックする。
【００２２】
減算器４、ヘッドフォンアンプ５、スピーカ６、マイク７、ＡＤ変換器８、デジタルフィルタ９は騒音キャンセル制御のフィードバックループを構成している。
【００２３】
信号遮断手段１０はＤＳＰ２からの指令によって制御され、ＤＳＰ２から信号遮断指令を受け取ったときはＡＤ変換器８からのデジタル信号を遮断してＤＳＰ２に伝達しないようにする。信号遮断手段１０はＤＳＰ２とは別の制御ブロックとして記載してあるが、ＤＳＰ２がＡＤ変換器８からのデジタル信号を認識しないように、ＤＳＰ２内部でソフトウェアによって処理するようにしても良い。なお、信号遮断手段１０が点線で表されているのは、信号遮断手段１０が遮断状態にあることを示している。
【００２４】
クロック制御手段１１はクロック発生回路を含み、クロック発生回路で発生させたクロック信号を、補正回路３、ヘッドフォンアンプ５、ＡＤ変換器８、デジタルフィルタ９の各制御ブロックに供給する。
【００２５】
クロック制御手段１１は、ＤＳＰ２から騒音キャンセルヘッドフォンモードを示す信号を受けたときは補正回路３、ヘッドフォンアンプ５、デジタルフィルタ９にクロックを供給し、ＤＳＰ２からバイノーラル録音モードを示す信号を受けたときは補正回路３、ヘッドフォンアンプ５、デジタルフィルタ９へのクロック供給を停止する。図１の場合は騒音キャンセルヘッドフォンモードにあるので、クロック制御手段１１から補正回路３、ヘッドフォンアンプ５、デジタルフィルタ９にクロックが供給されている。
【００２６】
また、クロック制御手段１１からはＡＤ変換器８にもクロックが供給されている。ＡＤ変換器８へのクロックは騒音キャンセルヘッドフォンモード、バイノーラル録音モードにかかわらず供給される。
【００２７】
１２は騒音キャンセルヘッドフォンモードとバイノーラル録音モードを切り替える切替スイッチである。この切替スイッチ１２はユーザが任意にマニュアルで切り替えられるように配置された切り替えボタンとしてもよいが、後述するようにスピーカの動きに応じて切換ができるように配置すると、切替スイッチ１２の操作を機械的に行うことができる。
【００２８】
１３はユーザの耳を示している。
【００２９】
図３は騒音キャンセルヘッドフォンモードのときのスピーカ６のセット状態の詳細を示したものである。
【００３０】
図３において、１４はマイク７を固定して取り付るとともにスピーカ６を可動可能に取り付けるための支持部材（ケーシング）である。２１はスピーカ６の信号線、２２はマイク７の信号線、２３は切替スイッチ１２の信号線、２４はスピーカ６を回転移動する際の回転軸となるヒンジである。これによりスピーカ６は支持部材１４に備わるヒンジ２４を回転軸として、マイク７と対向した状態から外側に約９０°回転可能となっている。
【００３１】
スピーカ６が耳に向くように聴取状態にセットされたとき、マイク７の前方（集音方向）が図３に示すようにスピーカ６の音声を効率よく集音できるようにスピーカ６の前方（音声出力方向）に対向して配置されるようになっている。また図３に示すようにスピーカ６が耳１３に向いてセットされたことにより、支持部材１４に固定された切替スイッチ１２はスピーカ６により押下され、切替スイッチ１２からＤＳＰ２へ騒音キャンセルヘッドフォンモードへ切り替えるための切替信号が出力される。
【００３２】
また、スピーカ６が耳に向くようにセットされたとき、スピーカ６と支持部材１４によりスピーカ６とマイク７との間に囲まれた空間を形成するので、スピーカ６とマイク７間の伝達関数が安定し、騒音キャンセル制御を安定化させることができる。
【００３３】
次に、図１に示した騒音キャンセルヘッドフォンモード時の動作を説明する。
【００３４】
騒音キャンセルヘッドフォンモードにするには、まず図３のようにスピーカ６を耳１３に向くようにセットする。次に、切替スイッチ１２を操作して騒音キャンセルヘッドフォンモード側にする。なお、切替スイッチ１２がマニュアル操作用ではなく図３のように支持部材１４に取り付けられている場合には、スピーカ６を耳１３に向くようにセットすると切替スイッチ１２がスピーカ６で押下され騒音キャンセルヘッドフォンモード側に機械的に切り替わる。
【００３５】
切替スイッチ１２から騒音キャンセルヘッドフォンモード側になったことを示す信号がＤＳＰ２に入力されると、ＤＳＰ２はクロック制御手段１１に信号を送り、信号を受けたクロック制御手段１１は補正回路３、ヘッドフォンアンプ５、デジタルフィルタ９にクロックを供給する。なお、クロック制御手段１１はこれとは別にＡＤ変換器８にもクロックを供給している。
【００３６】
また、切替スイッチ１２から騒音キャンセルヘッドフォンモード側になったことを示す信号がＤＳＰ２に入力されると、ＤＳＰ２は信号遮断手段１０に信号遮断指令を送りＡＤ変換器８からの信号を遮断する。
【００３７】
これにより騒音キャンセルヘッドフォンとしての制御回路が形成される。
【００３８】
図示しない音声再生開始スイッチが操作されると、ＤＳＰ２は記憶手段１から音楽データを取り込み、圧縮されているデータを伸長、デコードして補正回路３に出力する。
【００３９】
補正回路３から出力される信号は、減算器４、ヘッドフォンアンプ５、スピーカ６、マイク７、ＡＤ変換器８、デジタルフィルタ９で構成される騒音キャンセル制御のフィードバックループに入力され、周囲の騒音がキャンセルされた音楽をスピーカ６から出力する。
【００４０】
次に、図２を参照してバイノーラル録音装置として使用する場合を説明する。
【００４１】
図２において、図１と同一符号のものは同じものを示している。
【００４２】
クロック制御手段１１は、ＤＳＰ２からバイノーラル録音モードを示す信号を受けたときは補正回路３、ヘッドフォンアンプ５、デジタルフィルタ９へのクロック供給を停止し、それらの動作を停止させる。図２において、点線で示した部分は、バイノーラル録音装置としては必要ないので動作が停止される部分を示している。なお、ＡＤ変換器８へのクロックは騒音キャンセルヘッドフォンモード、バイノーラル録音モードにかかわらず供給される。
【００４３】
図４はバイノーラル録音モードのときのスピーカ６のセット状態の詳細を示したものである。
【００４４】
図４において、支持部材１４にはマイク７が固定して取り付けられるとともにスピーカ６が可動可能に取り付けられている。２１はスピーカ６の信号線、２２はマイク７の信号線、２３は切替スイッチ１２の信号線、２４はヒンジである。
【００４５】
バイノーラル録音モードのときは、スピーカ６がヒンジ２４を回転軸として外側に約９０°回転し、マイク７の前方が外部に開放される。
【００４６】
このとき、切替スイッチ１２はスピーカ６から離れスピーカ６からの押下状態が解除される。これにより、切替スイッチ１２からＤＳＰ２にバイノーラル録音モードへ切り替えるための切替信号が出力される。
【００４７】
次に、図２に示したバイノーラル録音モード時の動作を説明する。
【００４８】
バイノーラル録音モードにするには、まずスピーカ６をヒンジ２４を回転軸として外側に約９０°回転させ、マイク７の前方を外部に開放する。次に、切替スイッチ１２を操作してバイノーラル録音モード側にする。なお、切替スイッチ１２がマニュアル操作用ではなく図４のように支持部材１４に取り付けられている場合には、スピーカ６を外側に回転させると、スピーカ６が切替スイッチ１２から離れ、切替スイッチ１２からバイノーラル録音モード側になったことを示す信号がＤＳＰ２に出力される。
【００４９】
切替スイッチ１２からバイノーラル録音モード側になったことを示す信号がＤＳＰ２に入力されると、ＤＳＰ２はクロック制御手段１１に信号を送り補正回路３、ヘッドフォンアンプ５、デジタルフィルタ９のクロックを停止する。なお、クロック制御手段１１にはこれとは別にＡＤ変換器８にクロックが供給されている。
【００５０】
また、切替スイッチ１２からバイノーラル録音モード側になったことを示す信号がＤＳＰ２に入力されると、ＤＳＰ２は信号遮断手段１０に信号を送り、この信号を受けた信号遮断手段１０はＡＤ変換器８からの信号がＤＳＰ２に入力できるように接続する。
【００５１】
これによりバイノーラル録音装置としての制御回路が形成される。
【００５２】
マイク７で集音された音声はＡＤ変換器８、信号遮断手段１０を通してＤＳＰ２に入力されており、図示しない録音開始スイッチが操作されると、ＤＳＰ２に入力されたこの音声信号はＤＳＰ２によりコード化、圧縮されて記憶手段１に記憶される。
【００５３】
このようにしてバイノーラル録音され記憶手段１に記憶された音声データは、上記図１で説明した騒音キャンセルヘッドフォンモードとすることにより再生することができ、ユーザは立体的な音声を楽しむことができる。
【００５４】
以上、具体的な実施の形態で説明したが、これに限定されず実施することができる。例えば、スピーカ６の移動形式はヒンジ２４を回転軸とする回転移動であるが、スピーカをスライド移動させマイクの前方を開放するようにしてもよい。また、スピーカ６のヒンジ２４を軸とした回転角は９０°には限定されない。要するにマイク７で録音する際にスピーカ６が障壁とならないように移動できれば良い。
【００５５】
また、上記具体的な実施の形態によって本発明を説明したが、本発明は上記実施の形態に限定されず、本発明の要旨を逸脱しない範囲で変更して実施することができることは言うまでもない。
【産業上の利用可能性】
【００５６】
本発明はフィードバック制御騒音キャンセルヘッドフォンに限らず、ヘッドフォン内にマイクとスピーカを内蔵したヘッドフォンに利用できる。
【図面の簡単な説明】
【００５７】
【図１】本発明による実施の形態を示し、フィードバック制御騒音キャンセルヘッドフォンとして動作中の制御回路構成図を示す。
【図２】本発明による実施の形態を示し、バイノーラル録音装置として動作中の制御回路構成図を示す。
【図３】本発明による実施の形態の、フィードバック制御騒音キャンセルヘッドフォンとして使用するときのスピーカ位置を説明する図である。
【図４】本発明による実施の形態の、バイノーラル録音装置として使用するときのスピーカ位置を説明する図である。
【符号の説明】
【００５８】
１・・・記憶手段
２・・・ＤＳＰ（Digital Signal Processor)
３・・・補正回路
４・・・減算器
５・・・ヘッドフォンアンプ
６・・・スピーカ
７・・・マイク
８・・・ＡＤ変換器
９・・・デジタルフィルタ
１０・・・信号遮断手段
１１・・・クロック制御手段
１２・・・切替スイッチ
１３・・・耳
１４・・・支持部材
２１〜２４・・・信号線
２５・・・ヘッドフォン
【図１】
0004738248.tif 000002
【図２】
0004738248.tif 000003
【図３】
0004738248.tif 000004
【図４】
0004738248.tif 000005